(57)【特許請求の範囲】
【請求項１】
光を入射または出射する端面を有し光を導波する第１光導波路と、
光を入射または出射する端面を有し光を導波する第２光導波路と、
前記第１光導波路の端面と前記第２光導波路の端面との間に設けられ、ファイバ軸に垂直な断面において２次元の周期的屈折率分布を有するフォトニック結晶光ファイバを含み、前記フォトニック結晶光ファイバの一方の端面が前記第１光導波路の端面に対向し、前記フォトニック結晶光ファイバの他方の端面が前記第２光導波路の端面に対向している光共鳴部と、
を備え、
前記光共鳴部が、前記第１光導波路の端面と前記フォトニック結晶光ファイバの端面との間に設けられた光導波層を更に含み、
前記光導波層が、前記第１光導波路および前記フォトニック結晶光ファイバの双方より高い屈折率を有し、前記フォトニック結晶光ファイバにおける光導波方向と異なる方向に光を導波させ得る、
ことを特徴とする光フィルタ。
【請求項２】
前記フォトニック結晶光ファイバが前記第１光導波路および前記第２光導波路の双方より高い屈折率を有する
ことを特徴とする請求項１に記載の光フィルタ。
【請求項３】
前記第１光導波路および前記第２光導波路それぞれがシングルモード光ファイバである
ことを特徴とする請求項１または２に記載の光フィルタ。
【請求項４】
前記フォトニック結晶光ファイバがフォトニック・バンドギャップ・光ファイバである
ことを特徴とする請求項１〜３の何れか１項に記載の光フィルタ。
【請求項５】
前記光共鳴部が前記第１光導波路の端面と前記第２光導波路の端面との間に前記フォトニック結晶光ファイバを複数含む
ことを特徴とする請求項１〜４の何れか１項に記載の光フィルタ。
【請求項６】
前記第１光導波路の端面位置を含む所定範囲の部分，前記第２光導波路の端面位置を含む所定範囲の部分，および、前記光共鳴部が、筒状体の貫通孔の内部に収納されている、
ことを特徴とする請求項１〜５の何れか１項に記載の光フィルタ。
【請求項７】
光伝送路により信号光を伝搬させて光通信を行うとともに、前記光伝送路により監視光を伝送させて前記光伝送路の監視を行うシステムであって、
前記監視光を反射させる請求項１〜６の何れか１項に記載の光フィルタを前記光伝送路の終端に備える、
ことを特徴とする光通信システム。
【請求項８】
第１光導波路の端面に光導波路層を形成する光導波路層形成工程と、
フォトニック結晶光ファイバを筒状体の貫通孔の内部に挿入し、前記第１光導波路の端面位置を含む所定範囲の部分を前記筒状体の貫通孔の一方側から内部に挿入し、第２光導波路の端面位置を含む所定範囲の部分を前記筒状体の貫通孔の他方側から内部に挿入する挿入工程と、
前記筒状体と前記第１光導波路とを互いに固定するとともに、前記筒状体と前記第２光導波路とを互いに固定する固定工程と、
を備えることを特徴とする光フィルタ製造方法。
【請求項９】
前記固定工程において、前記第１光導波路および前記第２光導波路の双方から前記フォトニック結晶光ファイバに対して圧力を加えた状態で、前記筒状体と前記第１光導波路とを互いに接着固定するとともに、前記筒状体と前記第２光導波路とを互いに接着固定する、
ことを特徴とする請求項８に記載の光フィルタ製造方法。
【発明の詳細な説明】
【技術分野】
【０００１】
本発明は、光フィルタ、この光フィルタを製造する方法、および、この光フィルタを備える光通信システムに関するものである。
【背景技術】
【０００２】
光伝送路により信号光を伝搬させて光通信を行う光通信システムにおいて、その信号光の波長帯域と異なる波長の監視光を用いて該光伝送路の特性を監視することが行われている。この光伝送路の特性の監視は、光伝送路の一端に監視光を入射させ、その監視光が光伝送路を伝送する際に生じる後方散乱光を上記一端の側で検出し、その後方散乱光の時間変化に基づいてなされる。光伝送路を構成する光ファイバの特性劣化は、主に曲げ損失特性の劣化に因り引き起こされ、また、光の波長が長いほど曲げ損失が大きいことから、監視光は、信号光の波長帯域より長い波長のものが用いられる、例えば、信号光の波長帯域が１.３μｍ帯または１.５５μｍ帯であれば、監視光は１.６３μｍ〜１.６７μｍの波長範囲内のものが用いられる。
【０００３】
この監視光が信号光とともに受信器に到達すれば、その受信器において受信誤りが生じることから、監視光が受信器に到達しないよう遮断することが必要である。また、受信器の近傍まで監視光が到達したことを確認するために、受信端にて監視光を反射させることが必要である。そこで、信号光を透過させる一方で監視光を遮断し且つ反射させる光フィルタが受信端の終端に設けられる。このような光フィルタとして多層膜フィルタや光ファイバ・ブラッグ・グレーティング・フィルタ（Fiber Bragg Grating Filter、以下「ＦＢＧフィルタ」という。）が用いられ得る（特許文献１参照）。
【先行技術文献】
【特許文献】
【０００４】
【特許文献１】特開２０００−２９２６２１号公報
【発明の概要】
【発明が解決しようとする課題】
【０００５】
多層膜フィルタは、２本の光ファイバの端面で誘電体多層膜を挟んだ構造を有することができる。しかし、多層膜フィルタは、原理上は、光ファイバの端面に真空蒸着などにより多層膜を形成することで製造が可能であるが、光ファイバの端面の面積が小さいことから、波長の数十分の１の精度で制御された薄膜を積層することが困難である。また、多層膜フィルタの製造に際しては、束ねられた複数の光ファイバの各端面に同時に多層膜を形成することが経済性向上の点では妥当であるが、特性のばらつきの制御が困難である。
【０００６】
このような事情から、多層膜フィルタは、ガラスなどの基板上に形成された多層膜を２本の光ファイバの端面で挟んだ構造が実用化されている。この構成では、光ファイバを保護するためのフェルールに多層膜フィルタを挿入するためのスリットが必要であり、フェルールを保持する部材についても標準的なコネクタ用の部材の利用は困難である。加えて、多層膜と基板との線膨張係数の違いによるそりが原因で反射特性が劣化する問題もある。
【０００７】
これに対して、ＦＢＧフィルタは、光導波路の長手方向に沿って屈折率変調が形成されたものである。ＦＢＧフィルタは、原理的に大きな屈折率変調を与えることが困難であることから、急峻な反射スペクトルまたは透過スペクトルを得るためには全長を長くする必要があり、標準的な長さのフェルールが利用できる波長帯が限定される。
【０００８】
本発明は、上記問題点を解消する為になされたものであり、安定した特性を有することができ標準的なフェルールを用いることができる光フィルタを提供することを目的とする。本発明は、このような光フィルタを製造する方法を提供する。また、本発明は、このような光フィルタを備える光通信システムを提供する。
【課題を解決するための手段】
【０００９】
本発明の光フィルタは、(1) 光を入射または出射する端面を有し光を導波する第１光導波路と、(2) 光を入射または出射する端面を有し光を導波する第２光導波路と、(3) 第１光導波路の端面と第２光導波路の端面との間に設けられ、ファイバ軸に垂直な断面において２次元の周期的屈折率分布を有するフォトニック結晶光ファイバを含み、フォトニック結晶光ファイバの一方の端面が第１光導波路の端面に対向し、フォトニック結晶光ファイバの他方の端面が第２光導波路の端面に対向している光共鳴部と、を備えることを特徴とする。さらに、光共鳴部が、第１光導波路の端面とフォトニック結晶光ファイバの端面との間に設けられた光導波層を更に含み、この光導波層が、第１光導波路およびフォトニック結晶光ファイバの双方より高い屈折率を有し、フォトニック結晶光ファイバにおける光導波方向と異なる方向に光を導波させ得ることを特徴とする。
【００１０】
フォトニック結晶光ファイバが第１光導波路および第２光導波路の双方より高い屈折率を有するのが好適である。
【００１１】
第１光導波路および第２光導波路それぞれがシングルモード光ファイバであるのが好適である。フォトニック結晶光ファイバがフォトニック・バンドギャップ・光ファイバであるのが好適である。光共鳴部が第１光導波路の端面と第２光導波路の端面との間にフォトニック結晶光ファイバを複数含むのが好適である。また、第１光導波路の端面位置を含む所定範囲の部分，第２光導波路の端面位置を含む所定範囲の部分，および、光共鳴部が、筒状体の貫通孔の内部に収納されているのが好適である。
【００１２】
本発明の光通信システムは、光伝送路により信号光を伝搬させて光通信を行うとともに、光伝送路により監視光を伝送させて光伝送路の監視を行うシステムであって、監視光を反射させる上記の本発明の光フィルタを光伝送路の終端に備えることを特徴とする。
【００１３】
本発明の光フィルタ製造方法は、(1) 第１光導波路の端面に光導波路層を形成する光導波路層形成工程と、(2)フォトニック結晶光ファイバを筒状体の貫通孔の内部に挿入し、第１光導波路の端面位置を含む所定範囲の部分を筒状体の貫通孔の一方側から内部に挿入し、第２光導波路の端面位置を含む所定範囲の部分を筒状体の貫通孔の他方側から内部に挿入する挿入工程と、(3)筒状体と第１光導波路とを互いに固定するとともに、筒状体と第２光導波路とを互いに固定する固定工程と、を備えることを特徴とする。また、固定工程において、第１光導波路および第２光導波路の双方からフォトニック結晶光ファイバに対して圧力を加えた状態で、筒状体と第１光導波路とを互いに接着固定するとともに、筒状体と第２光導波路とを互いに接着固定するのが好適である。
【発明の効果】
【００１４】
本発明の光フィルタは、安定した特性を有することができ、標準的なフェルールを用いることができる。
【図面の簡単な説明】
【００１５】
【図１】第１実施形態の光フィルタ１の断面図である。
【図２】第１実施形態の光フィルタ１の動作原理を説明する図である。
【図３】第２実施形態の光フィルタ２の断面図である。
【図４】第３実施形態の光フィルタ３の断面図である。
【図５】第４実施形態の光フィルタ４の断面図である。
【発明を実施するための形態】
【００１６】
以下、添付図面を参照して、本発明を実施するための形態を詳細に説明する。なお、図面の説明において同一の要素には同一の符号を付し、重複する説明を省略する。
【００１７】
（第１実施形態）
【００１８】
図１は、第１実施形態の光フィルタ１の断面図である。同図は、光フィルタ１の光軸を含む断面を示している。光フィルタ１は、第１光導波路としての第１光ファイバ１１、第２光導波路としての第２光ファイバ１２、フォトニック結晶光ファイバ１３、光導波層１４、および、筒状体としてのフェルール１７を備える。フォトニック結晶光ファイバ１３および光導波層１４は光共鳴部を構成している。光フィルタ１は導波モード共鳴格子（Guided-Mode Resonant Grating）フィルタ（以下「ＧＭＲＧフィルタ」という。）として動作し得る。
【００１９】
第１光ファイバ１１において光を入射または出射する端面１１ａと、第２光ファイバ１２において光を入射または出射する端面１２ａとは、互いに対向している。光共鳴部を構成するフォトニック結晶光ファイバ１３および光導波層１４は、第１光ファイバ１１の端面１１ａと第２光ファイバ１２の端面１２ａとの間に設けられている。
【００２０】
フォトニック結晶光ファイバ１３は、ファイバ軸に垂直な断面において２次元の周期的屈折率分布を有する。フォトニック結晶光ファイバ１３の一方の端面１３ａは、第１光ファイバ１１の端面１１ａに対向している。フォトニック結晶光ファイバ１３の他方の端面１３ｂは、第２光ファイバ１２の端面１２ａに対向している。
【００２１】
光導波層１４は、第１光ファイバ１１の端面１１ａとフォトニック結晶光ファイバ１３の端面１３ａとの間に設けられている。光導波層１４は、第１光ファイバ１１およびフォトニック結晶光ファイバ１３の双方より高い屈折率を有している。光導波層１４は、フォトニック結晶光ファイバ１３における光導波方向と異なる方向（光導波方向に対して垂直な方向）に光を導波させ得る。
【００２２】
第１光ファイバ１１の端面１１ａ位置を含む所定範囲の部分、第２光ファイバ１２の端面１２ａ位置を含む所定範囲の部分、フォトニック結晶光ファイバ１３および光導波層１４は、筒状体のフェルール１７の貫通孔の内部に収納されている。第１光ファイバ１１とフェルール１７とは接着剤１８により固定されている。第２光ファイバ１２とフェルール１７とは接着剤１９により固定されている。
【００２３】
第１光ファイバ１１および第２光ファイバ１２それぞれは、光通信において光伝送路として用いられるシングルモード光ファイバであるのが好適である。フォトニック結晶光ファイバ１３は、ファイバ軸に垂直な断面において少なくとも単位格子を３回以上繰り返す２次元の周期的屈折率分布を有し、コアが格子欠陥として実現される。なお、フォトニック結晶光ファイバのうちでも導波モードが存在しない波長帯が存在するものは、フォトニック・バンドギャップ・光ファイバ（ＰＢＦ、Photonic Bandgap Fiber）とよばれるブラッグ反射による光閉じ込めを利用するタイプのものである。
【００２４】
第１光ファイバ１１，第２光ファイバ１２およびフォトニック結晶光ファイバ１３は例えば石英ガラスを主成分とするものであって、それらの屈折率は高々１.４６である。光導波層１４は、１.４７以上の屈折率を有することが好ましく、例えば、酸化アルミニウム、酸化チタン、酸化亜鉛などからなる。フェルール１７は例えばジルコニアからなる。例えば、フォトニック結晶光ファイバ１３の長さは５ｍｍ程度であり、光導波層１４の厚さは５μｍ〜２０μｍであり、フェルール１７の長さは１０ｍｍ程度である。また、第１光ファイバ１１，第２光ファイバ１２およびフォトニック結晶光ファイバ１３それぞれの外径は互いに等しいのが好適である。
【００２５】
本実施形態の光フィルタ１は以下のようにして製造することができる。第１光ファイバ１１の端面１１ａ、第２光ファイバ１２の端面１２ａおよびフォトニック結晶光ファイバ１３の端面１３ａ，１３ｂそれぞれを鏡面研磨する（鏡面研磨工程）。第１光ファイバ１１の鏡面研磨した端面１１ａに真空蒸着法により光導波層１４を形成する（光導波路層形成工程）。光導波層１４はイオン・アシスト蒸着膜であるのが好ましい。
【００２６】
光導波路層形成工程に続いて、フォトニック結晶光ファイバ１３をフェルール１７の貫通孔の内部に挿入し、第１光ファイバ１１の端面１１ａ位置を含む所定範囲の部分をフェルール１７の貫通孔の一方側から内部に挿入し、第２光ファイバ１２の端面１２ａ位置を含む所定範囲の部分をフェルール１７の貫通孔の他方側から内部に挿入する（挿入工程）。
【００２７】
挿入工程に続いて、フェルール１７と第１光ファイバ１１とを接着剤１８により互いに固定するとともに、フェルール１７と第２光ファイバ１２とを接着剤１９により互いに固定する（固定工程）。この固定工程においては、接着固定の際に、第１光ファイバ１１および第２光ファイバ１２の双方からフォトニック結晶光ファイバ１３に対して圧力を加えた状態とするのが好適である。このようにして光フィルタ１を製造することができる。
【００２８】
本実施形態の光フィルタ１は以下のように動作することができる。図２は、第１実施形態の光フィルタ１の動作原理を説明する図である。フォトニック結晶光ファイバ１３は、光導波層１４との界面において２次元回折格子として作用し得る。第１光ファイバ１１の端面１１ａから出射されて光導波層１４に入射した光は、下記（１）式および（２）式の関係を満たす回折光と結合する。
【００２９】
【数１】
0005747627.tif 000002
【００３０】
【数２】
0005747627.tif 000003
【００３１】
ここで、ｋ１は入射光の波数ベクトルである。ｋ２は回折光の波数ベクトルである。Ｇｍｎはフォトニック結晶光ファイバ１３の逆格子ベクトルである。ｇ１、ｇ２はフォトニック結晶光ファイバ１３の逆格子ベクトル空間を表す基底ベクトルである。これらは何れも光導波層１４における換算値である。また、ｍ、ｎは任意の整数である。
【００３２】
フォトニック結晶光ファイバ１３が光を導波させ得る透過波長帯域では、第１光ファイバ１１の端面１１ａから出射されて光導波層１４に入射した光は、フォトニック結晶光ファイバ１３の導波モード光に結合されて、フォトニック結晶光ファイバ１３により導波され、さらに第２光ファイバ１２により導波されていく（同図（ａ））。
【００３３】
フォトニック結晶光ファイバ１３が光を導波させることなく放射させる放射波長帯域では、第１光ファイバ１１の端面１１ａから出射されて光導波層１４に入射した光は、フォトニック結晶光ファイバ１３の放射モード光に結合されて、その大部分が光導波層１４の導波モード光に結合される。光導波層１４の導波モード光に結合された光は、２次元回折格子の共鳴波長と非共鳴波長とによって挙動が異なる。共鳴波長の光は、光導波層１４に閉じ込められるが、第１光ファイバ１１の導波モード光に結合されて第１光ファイバ１１に戻る（同図（ｂ））。これに対して、非共鳴波長の光は、光導波層１４により径方向に導波され外部に放射される（同図（ｃ））。
【００３４】
このように、本実施形態の光フィルタ１は、フォトニック結晶光ファイバ１３の透過波長帯域の光を透過させ、フォトニック結晶光ファイバ１３の放射波長帯域であって共鳴波長の光を反射させ、フォトニック結晶光ファイバ１３の放射波長帯域であって非共鳴波長の光を外部に放射させることができる。
【００３５】
本実施形態の光フィルタ１は、厳密結合波解析（ＲＣＷＡ、RigorousCoupled Wave Analysis）や時間領域有限差分法（ＦＤＴＤ、Finite Difference Time Domain method）などの数値シミュレーションにより構造を最適化することにより、反射波長帯域で１００％に近い反射率を得ることができる。また、フォトニック結晶光ファイバ１３の長さが５ｍｍ程度であるので、フォトニック結晶光ファイバ１３に入射した光は、フォトニック結晶光ファイバ１３により導波される間に反射を５０回程度繰り返しながら伝搬する。光フィルタ１の反射波長帯域はフォトニック結晶光ファイバ１３の放射波長帯域に含まれるので、この帯域の光は光ファイバ１２には殆ど結合されない。一試算例として、フォトニック結晶光ファイバ１３の放射波長帯域における実効的なコア・クラッド界面の反射率を８０％とすれば、光フィルタ１の透過損失は４８ｄＢである。現実的には、実効的なコア・クラッド界面の反射率はより小さな値であるので、光フィルタ１の透過損失はより大きな値となる。
【００３６】
多層膜フィルタやＦＢＧフィルタは光の伝搬方向の１次元の屈折率分布を利用するのに対し、本実施形態の光フィルタ１は本質的には光の伝搬方向に垂直な面内の２次元の周期的屈折率分布を利用する。本実施形態の光フィルタ１は、多層膜フィルタのようにそりに起因する特性の劣化がなく安定した特性を有することができ、また、ＦＢＧフィルタのように全長が反射帯域に依存しない。本実施形態の光フィルタ１は、光通信システム等において一般にコネクタ用部品として用いられている標準的なフェルールを用いることができる。
【００３７】
本実施形態の光フィルタ１は、光通信システムにおいて好適に用いられる。例えば、ＯＴＤＲ（Optical Time Domain Reflectometry），ＯＣＤＲ（Optical Coherence Domain Reflectometry）およびＯＦＤＲ（OpticalFrequency Domain Reflectometry）等により、信号光波長帯域と異なる波長の監視光を用いて光伝送路の特性を監視する際に、受信端の終端において信号光を透過させる一方で監視光を反射させるものとして好適に用いられる。
【００３８】
（第２実施形態）
【００３９】
図３は、第２実施形態の光フィルタ２の断面図である。同図は、光フィルタ２の光軸を含む断面を示している。光フィルタ２は、第１光ファイバ１１、第２光ファイバ１２、フォトニック結晶光ファイバ１３、光導波層１４、光導波層１５およびフェルール１７を備える。フォトニック結晶光ファイバ１３および光導波層１４は光共鳴部を構成している。また、フォトニック結晶光ファイバ１３および光導波層１５も光共鳴部を構成している。光フィルタ２もＧＭＲＧフィルタとして動作し得る。
【００４０】
図１に示された第１実施形態の光フィルタ１の構成と比較すると、この図３に示される第２実施形態の光フィルタ２は、光導波層１５を更に備える点で相違する。光導波層１５は、第２光ファイバ１２の端面１２ａとフォトニック結晶光ファイバ１３の端面１３ｂとの間に設けられている。光導波層１５は、第２光ファイバ１２およびフォトニック結晶光ファイバ１３の双方より高い屈折率を有している。光導波層１５は、フォトニック結晶光ファイバ１３における光導波方向と異なる方向（光導波方向に対して垂直な方向）に光を導波させ得る。光導波層１５は、例えば、酸化アルミニウム、酸化チタン、酸化亜鉛などからなり、厚さが５μｍ〜２０μｍである。光導波層１５は、第２光ファイバ１２の鏡面研磨した端面１２ａに真空蒸着法により形成され得る。
【００４１】
第２実施形態の光フィルタ２は、第１実施形態の光フィルタ１と同様にして製造され、同様の動作をすることででき、同様の効果を奏することができる。第２実施形態の光フィルタ２は、第１光ファイバ１１の側から入射する光に対してＧＭＲＧフィルタとして動作し得るだけでなく、第２光ファイバ１２の側から入射する光に対してもＧＭＲＧフィルタとして動作し得る。
【００４２】
（第３実施形態）
【００４３】
図４は、第３実施形態の光フィルタ３の断面図である。同図は、光フィルタ３の光軸を含む断面を示している。光フィルタ３は、第１光ファイバ１１、第２光ファイバ１２、フォトニック結晶光ファイバ１３１〜１３４およびフェルール１７を備える。この光フィルタ３の光共鳴部は、第１光ファイバ１１の端面１１ａと第２光ファイバ１２の端面１２ａとの間に設けられた複数（同図では４個）のフォトニック結晶光ファイバ１３１〜１３４を含んで構成される。
【００４４】
４個のフォトニック結晶光ファイバ１３１〜１３４それぞれは、高屈折率であって、光軸方向の長さが十数μｍとされていて、光導波層としても機能し得る。４個のフォトニック結晶光ファイバ１３１〜１３４は、透過波長帯域、反射波長帯域および放射波長帯域の何れかが互いに異なっていてもよい。この場合、光フィルタ３は、互いに離間した複数の反射波長帯域を有することができる。
【００４５】
第１光ファイバ１１とフォトニック結晶光ファイバ１３１との間、フォトニック結晶光ファイバ１３１とフォトニック結晶光ファイバ１３２との間、フォトニック結晶光ファイバ１３２とフォトニック結晶光ファイバ１３３との間、フォトニック結晶光ファイバ１３３とフォトニック結晶光ファイバ１３４との間、および、フォトニック結晶光ファイバ１３４と光ファイバ１２との間、の全て又は何れかに、光導波層またはスペーサが設けられてもよく、また、光導波層が蒸着形成されたスペーサが設けられてもよい。
【００４６】
（第４実施形態）
【００４７】
図５は、第４実施形態の光フィルタ４の断面図である。同図は、光フィルタ４の光軸を含む断面を示している。光フィルタ４は、第１光ファイバ１１、第２光ファイバ１２、フォトニック結晶光ファイバ１３１〜１３３、スペーサ１６１，１６２およびフェルール１７を備える。
【００４８】
この光フィルタ４の光共鳴部は、第１光ファイバ１１の端面１１ａと第２光ファイバ１２の端面１２ａとの間に設けられた複数（同図では３個）のフォトニック結晶光ファイバ１３１〜１３３を含んで構成され、また、フォトニック結晶光ファイバ１３１とフォトニック結晶光ファイバ１３２との間にスペーサ１６１が設けられ、フォトニック結晶光ファイバ１３２とフォトニック結晶光ファイバ１３３との間にスペーサ１６２が設けられている。
【００４９】
３個のフォトニック結晶光ファイバ１３１〜１３３は、透過波長帯域、反射波長帯域および放射波長帯域が互いに異なっていてもよいし互いに同じであってもよい。スペーサ１６１，１６２は例えばシングルモード光ファイバであってもよい。また、スペーサ１６１，１６２の端面に光導波層が蒸着形成されていてもよい。スペーサ１６１，１６２それぞれの透過率や長さを適宜調整することで、様々な反射スペクトルまたは透過スペクトルを実現することができる。
【００５０】
（変形例）
【００５１】
第１または第２の実施形態において、フォトニック結晶光ファイバ１３が光導波層を兼ねていてもよく、フォトニック結晶光ファイバ１３とは別に光導波層が設けられていなくてもよい。この場合、フォトニック結晶光ファイバ１３は、第１光ファイバ１１および第２光ファイバ１２の双方より高い屈折率を有し、光軸方向の長さが例えば十数μｍとされることで、光導波層としても機能し得る。
【符号の説明】
【００５２】
１〜４…光フィルタ、１１…第１光ファイバ、１２…第２光ファイバ、１３…フォトニック結晶光ファイバ、１４，１５…光導波層、１６…スペーサ、１７…フェルール、１８，１９…接着剤。
【図１】
0005747627.tif 000004
【図２】
0005747627.tif 000005
【図３】
0005747627.tif 000006
【図４】
0005747627.tif 000007
【図５】
0005747627.tif 000008